(57)【要約】【課題】  液晶のようなホールド型表示を、インパルス型の応答とすることにより動画像の表示品位を向上させる。【解決手段】  水平有効走査期間において選択した一の走査線に対し選択電圧を印加するとともに、一のデータ線に対し選択走査線との交差に対応する画素の輝度に応じた電圧を印加し、別の走査線を選択したときの水平帰線期間において、当該一の走査線に選択電圧を印加する一方、当該一のデータ線に対し画素を最低輝度の黒色化させる電圧を印加する。これによって画素を表示消去するとともに、表示消去の電圧で、直後の書き込みに備えてデータ線をプリチャージする。【選択図】      図１
2005242313.tif 000002
【特許請求の範囲】
【請求項１】
複数の走査線と複数のデータ線との交差に対応して設けられる画素を駆動する電気光学装置の駆動回路であって、
前記複数の走査線のうちの第１の走査線を選択して、前記第１の走査線を選択する水平走査期間のうちの水平有効走査期間に、前記第１の走査線に対し選択信号を供給した後、
前記複数の走査線のうちの第２の走査線を選択する水平走査期間のうちの水平帰線期間の一部または全部の期間に、第１の走査線に走査信号を再度供給する走査線駆動回路と、
前記複数のデータ線に対し、
前記水平有効走査期間では、選択された走査線との交差に対応する画素に表示させる輝度に応じた画像信号を供給する一方、前記水平帰線期間の一部または全部の期間では、画素を最低輝度または最低輝度近傍の輝度に表示させる画像信号を供給するデータ線駆動回路と
を具備することを特徴とする電気光学装置の駆動回路。
【請求項２】
前記画素は、画素電極と該画素電極に対向する対向電極とを有し、
前記データ線駆動回路は、前記複数のデータ線に対し、対向電極に供給される電圧よりも低位側の負極性電圧と高位側の正極性電圧とを水平走査期間毎に交互に供給する
ことを特徴とする請求項１に記載の電気光学装置の駆動回路。
【請求項３】
前記走査線駆動回路は、前記第１の走査線に対し走査信号を水平有効走査期間に供給した後、偶数番目に選択される走査線を選択する直前の水平帰線期間の一部または全部の期間に、前記第１の走査線に走査信号を再度供給する
ことを特徴とする請求項２に記載の電気光学装置の駆動回路。
【請求項４】
前記データ線駆動回路は、前記水平有効走査期間に前記画素に表示を行わせる画像信号と前記水平帰線期間に前記画素に前記最低輝度または最低輝度近傍の輝度に表示させる画像信号とのうち一方を選択して出力する第１のセレクタを有することを特徴とする請求項１乃至３のいずれかに記載の電気光学装置の駆動回路。
【請求項５】
前記第１のセレクタは水平帰線期間にハイレベルとなる選択信号に応じて前記画素に前記最低輝度または最低輝度近傍の輝度に表示させる画像信号を出力することを特徴とする請求項４に記載の電気光学装置の駆動回路。
【請求項６】
前記第１のセレクタの選択信号は、前記複数のデータ線へのプリチャージの制御信号を兼ねることを特徴とする請求項５に記載の電気光学装置の駆動回路。
【請求項７】
前記走査線駆動回路は前記走査信号を複数の水平走査期間に相当する時間分遅延させて、前記水平帰線期間の一部または全部において前記第１の走査線に当該遅延させた走査信号を供給する遅延回路を有することを特徴とする請求項１乃至６のいずれかに記載の電気光学装置の駆動回路。
【請求項８】
前記水平帰線期間において、前記再度選択された前記第１の走査線に対応する画素に対して前記最低輝度または最低輝度近傍の輝度に表示させる画像信号を供給した後、前記複数のデータ線にプリチャージ信号を供給することを特徴とする請求項１乃至７のいずれかに記載の電気光学装置の駆動回路。
【請求項９】
前記水平帰線期間において、再度選択された前記第１の走査線に対応する画素に対して前記画素に前記最低輝度または最低輝度近傍の輝度に表示させる画像信号と、前記プリチャージ信号とのうち一方を出力する第２のセレクタを備えたことを特徴とする請求項８に記載の電気光学装置の駆動回路。
【請求項１０】
複数の走査線と複数のデータ線との交差に対応して設けられる画素を駆動する電気光学装置の駆動方法であって、
前記複数の走査線のうちの第１の走査線を選択して、前記第１の走査線を選択する水平走査期間のうちの水平有効走査期間に前記第１の走査線に走査信号を供給した後、
前記複数の走査線のうちの第２の走査線を選択する水平走査期間のうち、水平帰線期間の一部または全部の期間に、前記第１の走査線に選択信号を再度供給し、
前記複数のデータ線に対し、
前記水平有効走査期間では、選択した走査線との交差に対応する画素に表示させる輝度に応じた画像信号を供給する一方、前記水平帰線期間の一部または全部の期間では、前記画素を最低輝度または最低輝度近傍の輝度に表示させる画像信号を供給する
ことを特徴とする電気光学装置の駆動方法。
【請求項１１】
前記水平帰線期間の一部の期間において、当該一の走査線に対し走査信号を印
加するとともに、前記複数のデータ線に対し画素を最低輝度または最低輝度近傍の輝度にさせる画像信号を供給した後に各前記データ線を所定の電圧にプリチャージする
ことを特徴とする請求項１０に記載の電気光学装置の駆動方法。
【請求項１２】
複数の走査線と複数のデータ線との交差に対応して設けられる画素と、
前記複数の走査線のうち第１の走査線を選択して、前記第１の走査線が選択される水平走査期間のうちの水平有効走査期間に前記第１の走査線に走査信号を供給した後、
前記複数の走査線のうちの第２の走査線を選択する水平走査期間のうち、水平帰線期間の一部または全部の期間に前記第１の走査線に走査信号を再度供給する走査線駆動回路と、
前記複数のデータ線に対し、
前記水平有効走査期間では、選択された走査線との交差に対応する画素に表示させる輝度に応じた画像信号を供給する一方、水平帰線期間の一部または全部の期間では、画素を最低輝度または最低輝度近傍の輝度に表示させる画像信号を供給するデータ線駆動回路と
を具備することを特徴とする電気光学装置。
【請求項１３】
請求項１２に記載の電気光学装置を具備した
ことを特徴とする電子機器。
【発明の詳細な説明】
【技術分野】
【０００１】
本発明は、例えば、動きのある画像の表示に適した電気光学装置、電気光学装置の駆動回路、電気光学装置の駆動方法および電子機器に関する。
【背景技術】
【０００２】
近年、液晶などの電気光学変化により表示を行う電気光学装置が、薄型・小型・低消費電力等の特長を生かし、陰極線管（ＣＲＴ）に代わるディスプレイ・デバイスとして各種電子機器やテレビジョンなどに広く用いられつつある。
この電気光学装置は、駆動方式等によって分類すると、スイッチングにより画素を駆動するアクティブ・マトリクス型と、スイッチング素子を用いないで画素を駆動するパッシブ・マトリクス型とに大別することができるが、このうち、前者に係るアクティブ・マトリクス型では、各画素がスイッチング素子によって分離されるので、前者に係るパッシブ・マトリクス型と比較して、表示品位が高いとされている。
【０００３】
このようなマトリクス型の電気光学装置では、あるフレーム（垂直走査期間）において、階調に応じた電圧を書き込んで、次のフレームまで保持する構成となっている。したがって、ある画素について着目してみると、あるフレームから次のフレームまでの期間（１垂直走査期間）にわたって同一の表示状態が維持される。
このため、動画像を表示する場合には、同一の表示状態が少なくとも１垂直走査期間にわたって維持されるので、残像として視認されやすく、この結果、動画像の表示品位が低い、という問題が指摘されている。
【０００４】
そこで、この残像感を抑制する技術としては、例えば、あるフレームと次のフレームとの間に非表示フィールドを設けることにより、インパルス型の表示に近づけて動画像の表示品位を向上させるもの（特許文献１参照）や、各フレームでは走査線を２回選択する一方、第１回目の選択において表示用の信号を書き込み、第２回目の選択において黒レベル信号を第１回目と同一期間だけ書き込むことにより、インパルス的な表示光を得る技術（特許文献２、３参照）などが挙げられる。
【特許文献１】特開２００２−１６９５１５号公報
【特許文献２】特開２００２−２２９００４号公報
【特許文献３】特開２００３−１４０６１９号公報
【発明の開示】
【発明が解決しようとする課題】
【０００５】
しかしながら、上記技術では、いずれもインパルス的な表示により動画像の表示品位が向上するものの、高速な書き込みが要求される、という欠点があった。その理由は、あるフレームと次のフレームとの間に非表示フィードを設ける技術では、非表示フィールドの期間の分だけ走査のための期間が短くなるし、表示用の信号を書き込んだ後に黒レベル信号を同一期間だけ書き込む技術では、走査線を２回選択する必要があるので、表示用の信号を書き込むための期間が半分となってしまうからである。
本発明は、上述した事情に鑑みてなされたものであり、その目的とするところは、動画像表示に適したインパルス型の表示を、高速書込を要求することなく実現可能な電気光学装置、電気光学装置の駆動回路、電気光学装置の駆動方法および電子機器を提供することにある。
【課題を解決するための手段】
【０００６】
上記目的を達成するために、本発明に係る電気光学装置の駆動回路は、複数の走査線と複数のデータ線との交差に対応して設けられる画素を駆動する電気光学装置の駆動回路であって、前記複数の走査線のうちの第１の走査線を選択して、前記第１の走査線を選択する水平走査期間のうちの水平有効走査期間に、前記第１の走査線に対し選択信号を供給した後、前記複数の走査線のうちの第２の走査線を選択する水平走査期間のうちの水平帰線期間の一部または全部の期間に、第１の走査線に走査信号を再度供給する走査線駆動回路と、前記複数のデータ線に対し、前記水平有効走査期間では、選択された走査線との交差に対応する画素に表示させる輝度に応じた画像信号を供給する一方、前記水平帰線期間の一部または全部の期間では、画素を最低輝度または最低輝度近傍の輝度に表示させる画像信号を供給するデータ線駆動回路とを具備することを特徴とする。この駆動回路によれば、画素は、水平有効走査期間におけるデータ線の電圧を保持して、当該電圧に応じた輝度となり、その後、水平帰線期間においてデータ線に印加された電圧により、最低輝度（またはこれに近い輝度）になる。このため、画素が表示状態となる期間は、その画素の走査線が水平有効走査期間おいて選択されてから、別の走査線が選択される水平走査期間の水平帰線期間において選択電圧が再度印加されるまでとなるので、動画像を表示する際の残像感が抑えられる。水平帰線期間は、水平有効走査期間よりも遙かに短いので、画素本来の輝度に応じた電圧を印加するための水平有効走査期間が削られない。このため、高速書込が要求されることもない。くわえて、データ線は、水平有効走査期間において輝度に応じた電圧が印加される前に、水平帰線期間において最低輝度に応じた電圧に予めプリチャージされるので、寄生容量による電圧の残留の影響をも少なくすることもできる。なお、帰線期間において画素の表示を消去させるには、画素を最低輝度とさせるだけでなく、これに近い輝度（黒色に近い色）とさせることでも可能である。
【０００７】
この駆動回路において、前記画素は、画素電極と対向する対向電極を有し、前記データ線駆動回路は、一のデータ線に対し、共通電極に印加される電圧よりも低位側の負極性電圧と高位側の正極性電圧とを水平走査期間毎に交互に印加することが好ましい。
さらに、負極性電圧と正極性電圧とを水平走査期間毎に交互に印加する場合、前記走査線駆動回路は、当該一の走査線に対し選択電圧を水平有効走査期間に印加した後、偶数番目に選択される走査線を選択する直前の水平帰線期間の一部または全部の期間にて、当該一の走査線に選択電圧を再度印加する構成が望ましい。この構成によれば、水平帰線期間における最低輝度（または、これに近い輝度）の電圧と、水平有効走査期間における電圧とが同一極性となるので、データ線を介した書き込みの負担が減少する。
【０００８】
また、本発明において、電気光学装置の駆動回路のみならず、電気光学装置の駆動方法としても良い。この駆動方法では、前記水平帰線期間の一部または全部の期間において当該一の走査線に対し選択電圧を印加するとともに、当該一のデータ線に対し画素を最低輝度または最低輝度近傍の輝度にさせる電圧を印加した後であって、水平有効走査期間前に、各データ線を所定の電圧にプリチャージしても良い。これにより、画素を最低輝度にさせる電圧とは異なる電圧で、データ線をプリチャージすることができる。
さらに、本発明は、電気光学装置それ自体としても概念することができる。加えて、本発明に係る電子機器は、上記電気光学装置を表示部として有するので、動画像を表示する際の残像感が抑えられる。
【発明を実施するための最良の形態】
【０００９】
以下、本発明を実施するための形態について図面を参照して説明する。
【００１０】
＜第１実施形態＞
図１は、本発明の第１実施形態に係る電気光学装置の構成を示すブロック図である。
この図に示されるように、電気光学装置は、表示パネル１００と、制御回路２００と、処理回路３００と、セレクタ３５０とから構成される。このうち、制御回路２００は、図示しない上位装置から供給される垂直走査信号Ｖｓ、水平走査信号Ｈｓおよびドットクロック信号ＤＣＬＫにしたがって、各部を制御するためのタイミング信号やクロック信号などを生成する。
【００１１】
処理回路３００は、Ｓ／Ｐ変換回路３０２、Ｄ／Ａ変換器群３０４、増幅・反転回路３０６および黒レベル電圧生成回路３１０から構成される。
このうち、Ｓ／Ｐ変換回路３０２は、映像データＶｉｄを、Ｎ（図においてはＮ＝６）系統のチャネルに分配するとともに、時間軸にＮ倍に伸長して（シリアル−パラレル変換）、映像データＶｄ１ｄ〜Ｖｄ６ｄとして出力するものである。この映像データＶｉｄは、図示されない上位装置から、垂直走査信号Ｖｓ、水平走査信号Ｈｓおよびドットクロック信号ＤＣＬＫに同期して、すなわち、垂直走査および水平走査に同期してシリアルで供給され、画素の輝度（階調）を画素毎にディジタル値で指定する。なお、シリアル−パラレル変換する理由は、後述するサンプリングスイッチ１５１（図２参照）において、画像信号が印加される時間を長くして、サンプル＆ホールド時間および充放電時間を確保するためである。
【００１２】
Ｄ／Ａ変換器群３０４は、チャネル毎に設けられたＤ／Ａ変換器であり、映像データＶｄ１ｄ〜Ｖｄ６ｄをそれぞれ画素の階調に応じた電圧を有するアナログの画像信号に変換するものである。
増幅・反転回路３０６は、アナログ変換された画像信号を、極性反転または正転した後、適宜、増幅して画像信号Ｖｄ１〜Ｖｄ６として供給するものである。ここで、極性反転については、（１）走査線毎、（２）データ信号線毎、（３）画素毎、（４）面（フレーム）毎などの態様があるが、この実施形態にあっては説明の便宜上、（１）走査線単位の極性反転であるとする。ただし、本発明をこれに限定する趣旨ではない。また、本実施形態における極性反転とは、所定の一定電圧Ｖc（画像信号の振幅中心電位であり、対向電極の印加される電圧ＬＣcomとほぼ等しい）を基準として交互に電圧レベルを反転させることをいう。そして、電圧Ｖcよりも高位電圧を正極性といい、電圧Ｖcよりも低位電圧を負極性という。
なお、この実施形態では、Ｓ／Ｐ変換回路３０２により変換された映像データＶｄ１ｄ〜Ｖｄ６ｄをアナログ変換するが、ディジタル的に増幅・反転後において、アナログ変換しても良いのはもちろんである。
【００１３】
黒レベル電圧生成回路３１０は、画素を最低輝度の黒色とさせる電圧信号Ｖbkをデータ線のプリチャージ電圧として生成するものである。ここで、本実施形態における表示パネル１００の画素が電圧無印加状態において最高輝度の白色を表示するノーマリーホワイトモードであるとすると、黒レベル電圧生成回路３１０は、例えば、図６に示されるように電圧信号Ｖbkを生成する。すなわち、黒レベル電圧生成回路３１０は、正極性書込となる水平走査期間の水平帰線期間では、正極性の黒色電圧Ｖbk(+)となり、負極性書込となる水平走査期間の水平帰線期間では、負極性の黒色電圧Ｖbk(-)となる。上述したように、本実施形態では、走査線単位の極性反転を行うので、書込極性は水平走査期間毎に反転する。この極性反転に伴って、黒レベル電圧生成回路３１０は、電圧信号Ｖbkを１水平走査期間毎に反転させる。
【００１４】
説明を図１に戻すと、セレクタ３５０は、各チャネルにおいて、例えば信号ＮＲＧ（セレクタ３５０の選択信号であると共に、プリチャージの制御信号となる）がＬレベルであるときに増幅・反転回路３０６による画像信号Ｖｄ１〜Ｖｄ６を選択する一方、信号ＮＲＧがＨレベルであるときに黒レベル電圧生成回路３１０による電圧信号Ｖbkを選択して、表示パネル１００に信号Ｖｉｄ１〜Ｖｉｄ６として供給する。ここで、信号ＮＲＧは、制御回路２００から供給され、水平帰線期間においてＨレベルとなる信号である。
【００１５】
次に、表示パネル１００の詳細な構成について説明する。図２は、この表示パネル１００の電気的な構成を示すブロック図である。なお、この表示パネル１００は、素子基板と対向電極が形成された対向基板とを一定の間隙をもって貼り合わせるとともに、この間隙に液晶を封止した構成となっている。
このうち、素子基板には、図２に示されるように、表示領域１００ａにあって複数の走査線１１２がＸ方向に延在して形成される一方、複数のデータ線１１４がＹ方向に形成される。そして、これらの走査線１１２とデータ線１１４との交差部分の各々において、薄膜トランジスタ（Thin Film Transistor：以下「ＴＦＴ」と称する）１１６および画素電極１１８の対が設けられている。ここで、ＴＦＴ１１６のゲートは走査線に、ソースはデータ線１１４に、ドレインは画素電極１１８に、それぞれ接続されている。
【００１６】
また、画素電極１１８に対向するように、一定の電圧ＬＣcomに維持された対向電極１０８が設けられるとともに、これらの画素電極１１８と対向電極１０８との間に液晶層１０５が挟持されている。このため、画素毎に、画素電極１１８、対向電極１０８および液晶層１０５からなる液晶容量が構成されることになる。
なお、両基板の各対向面には、液晶分子の長軸方向が両基板間で例えば約９０度連続的に捻れるようにラビング処理された配向膜（図示省略）がそれぞれ設けられる一方、両基板の各背面側には配向方向に応じた偏光子がそれぞれ設けられる。また、液晶容量における電荷のリークを防止するために、蓄積容量１１９が画素毎に形成されている。この蓄積容量１１９の一端は、画素電極１１８（ＴＦＴ１１６のドレイン）に接続される一方、その他端は、すべての画素にわたって電位Ｇｎｄに共通接地されている。蓄積容量１１９の他端は、本実施形態では、電位Ｇｎｄに接地されているが、一定の電位（例えば電圧ＬＣcomや、駆動回路の高位側電源電圧、低位側電源電圧など）であれば良い。
【００１７】
ここで、説明の便宜上、走査線１１２の総本数を「ｍ」とし、データ線１１４の総本数を「６ｎ」とすると（ｍ、ｎは、それぞれ整数とする）、画素は、走査線１１２とデータ線１１４との各交差部分に対応して、ｍ行×６ｎ列のマトリクス状に配列することになる。
画素電極１１８と対向電極１０８との間を通過する光は、液晶容量の電圧実効値がゼロであれば、液晶分子の捻れに沿って約９０度旋光する一方、当該電圧実効値が大きくなるにつれて、液晶分子が電界方向に傾く結果、その旋光性が消失する。このため、例えば透過型において、入射側と背面側とに、配向方向に合わせて偏光軸が互いに直交する偏光子をそれぞれ配置させたノーマリーホワイトモードの場合、液晶容量の電圧実効値がゼロであれば、光が透過するので（透過率または輝度が最大になる）白表示になる一方、電圧実効値が大きくなるにつれて透過する光量が減少して、ついには（透過率または輝度が最小になる）黒表示になる。
【００１８】
一方、表示領域１００ａの周辺には、走査線駆動回路１３０や、データ線駆動回路１４０などが設けられている。このうち、走査線駆動回路１３０は、詳細については後述するが、水平有効表示期間と、その後の水平帰線期間とにおいて排他的にアクティブレベルとなる走査信号Ｇ１、Ｇ２、…、Ｇｍを出力するものである。
【００１９】
また、データ線駆動回路１４０は、シフトレジスタ１４１、ＡＮＤ回路１４２、ＯＲ回路１４４およびサンプリングスイッチ１５１から構成される。このうち、シフトレジスタ１４１は、図５に示されるように、１水平有効走査期間の開始時に供給される転送開始パルスＤＸを、クロック信号ＣＬＸのレベルが遷移する（立ち上がる又は立ち下がる）毎に順次シフトして、データ線のブロック毎に対応させて信号Ｓ１’、Ｓ２’、Ｓ３’、…、Ｓｎ’として出力する。
ＡＮＤ回路１４２は、シフトレジスタ１４１の各出力段にそれぞれ設けられ、当該出力段からの信号と制御回路２００から供給される信号ＥＮＢとの論理積信号を出力するものである。これにより、シフトレジスタ１４１の各出力段による信号は、それぞれ信号ＥＮＢのパルス幅Ｓｍｐに狭められて、信号遅延等に理由によって相隣接するもの同士の重複が防止されている。
ＯＲ回路１４４は、ＡＮＤ回路１４２による論理積信号と、制御回路２００から供給される信号ＮＲＧとの論理和信号を、サンプリング信号として出力するものである。このようにして、シフトレジスタ１４１による信号Ｓ１’、Ｓ２’、Ｓ３’、…、Ｓｎ’は、ＡＮＤ回路１４２およびＯＲ回路１４４を順番に経て、最終的にサンプリング信号Ｓ１、Ｓ２、Ｓ３、…、Ｓｎとして出力される。
【００２０】
サンプリングスイッチ１５１は、６本の画像信号線１７１を介して供給される６チャネル分の信号Ｖｉｄ１〜Ｖｉｄ６を、サンプリング信号Ｓ１、Ｓ２、Ｓ３、…、Ｓｎにしたがって各データ線１１４にサンプリングするものであり、データ線１１４毎に設けられる。本実施形態では、データ線１１４は６本毎にブロック化されており、図２において左から数えてｉ（ｉは、１、２、…、ｎ）番目のブロックに属するデータ線１１４の６本のうち、最も左に位置するデータ線１１４の一端に接続されるサンプリングスイッチ１５１は、画像信号線１７１を介して供給された信号Ｖｉｄ１を、サンプリング信号Ｓｉがアクティブになる期間においてサンプリングして、当該データ線１１４に供給する構成となっている。また、ブロックにおいて２番目に位置するデータ線１１４の一端に接続されるサンプリングスイッチ１５１は、信号Ｖｉｄ２を、サンプリング信号Ｓｉがアクティブになる期間においてサンプリングして、当該データ線１１４に供給する構成となっている。以下同様に、ブロックに属するデータ線１１４の６本のうち、３、４、５、６番目に位置するデータ線１１４の一端に接続されるサンプリングスイッチ１５１の各々は、信号Ｖｉｄ３、Ｖｉｄ４、Ｖｉｄ５、Ｖｉｄ６の各々を、サンプリング信号Ｓｉがアクティブレベルになる期間においてサンプリングして、対応するデータ線１１４に供給する構成となっている。
【００２１】
次に、走査線駆動回路１３０の詳細について説明する。図３は、走査線駆動回路１３０の構成を示すブロック図である。
この図において、シフトレジスタ１３１は、走査線１１２の本数ｍに対応してｍ段を有し、１垂直走査期間の開始時に供給される転送開始パルスＤＹを、クロック信号ＣＬＹのレベルが立ち上がる毎に順次シフトして、信号Ｙ１、Ｙ２、Ｙ３、…、Ｙｍとして出力する。
シフトレジスタ１３１の各出力段には、遅延回路１３３、ＡＮＤ回路１３５、１３７およびＯＲ回路１３９の組が、それぞれ設けられている。
このうち、図３において上から数えてｊ（ｊは、１、２、…、ｍ）段目で説明すると、ｊ段目の遅延回路１３３は、信号Ｙｊを遅延させて、遅延信号Ｙｊｄとして出力する。なお、本実施形態では、遅延回路１３３による遅延時間は４水平走査期間（４Ｈ）である。
ｊ段目におけるＡＮＤ回路１３５は、信号Ｙｊと信号ＮＲＧの否定信号との論理積信号を出力し、同じくｊ段目におけるＡＮＤ回路１３７は、遅延信号Ｙｊｄと信号ＮＲＧとの論理積信号を出力する。そして、ｊ段目におけるＯＲ回路１３９は、同段におけるＡＮＤ回路１３５、１３７による論理積信号同士の論理和信号を求め、この論理和信号を、ｊ行目の走査線１１２に走査信号（選択信号）Ｇｊとして出力する。
【００２２】
なお、走査線駆動回路１３０や、データ線駆動回路１４０の構成素子は、画素を駆動するＴＦＴ１１６と共通の製造プロセスで形成されて、装置全体の小型化や低コスト化に寄与している。
【００２３】
次に、本実施形態に係る電気光学装置の動作について説明する。図４および図５は、電気光学装置の動作を説明するためのタイミングチャートである。
まず、垂直走査期間（１Ｆ）の最初において、転送開始パルスＤＹが走査線駆動回路１３０に供給される。この転送開始パルスＤＹは、シフトレジスタ１３１によって、図４に示されるように、クロック信号の立ち上がりにおいてラッチされて、信号Ｙ１、Ｙ２、Ｙ３、…、Ｙｍとして出力される。
これらの信号Ｙ１、Ｙ２、Ｙ３、…、Ｙｍは、各段の遅延回路１３３によって、それぞれ４水平走査期間（４Ｈ）だけ遅延されて、それぞれ遅延信号Ｙ１ｄ、Ｙ２ｄ、Ｙ３ｄ、…、Ｙｍｄとして出力される。
一方、信号ＮＲＧは、水平走査期間のうち帰線期間においてＨレベルになり、その後の水平有効走査期間ではＬレベルとなる。このため、各段のＡＮＤ回路１３５は、信号Ｙ１、Ｙ２、Ｙ３、…、ＹｍのＨレベルとなるパルス幅を水平有効走査期間に狭める一方、各段のＡＮＤ回路１３７は、遅延信号Ｙ１ｄ、Ｙ２ｄ、Ｙ３ｄ、…、ＹｍｄのＨレベルとなるパルス幅を水平帰線期間に狭める。
したがって、各段において、ＡＮＤ回路１３５、１３７による論理積信号同士の論理和信号としての走査信号Ｇ１、Ｇ２、Ｇ３、…、Ｇｍは、図４に示されるように水平有効走査期間において順次Ｈレベルとなった後、水平帰線期間において再度順次Ｈレベルとなる。換言すれば、例えば、ｊ行目の走査線１１２に供給される走査信号Ｇｊは、水平有効走査期間においてＨレベルになると、（ｊ＋４）行目の走査線１１２に供給される走査信号Ｇ（ｊ＋４）がＨレベルとなる水平有効走査期間の直前の水平帰線期間において、再度Ｈレベルとなる。
【００２４】
次に、走査信号Ｇ１が水平有効走査期間においてＨレベルになるときについて着目すると、当該水平有効走査期間の先立つ水平帰線期間において信号ＮＲＧがＨレベルになる。信号ＮＲＧがＨレベルになると、セレクタ３５０（図１参照）は、電圧信号Ｖbkを選択するので、６本の画像信号線１７１（図２参照）には、直後の水平有効走査期間における書込極性が正極性であると仮定すれば、電圧Ｖbk(+)となる。また、信号ＮＲＧがＨレベルになると、ＡＮＤ回路１４２による論理積信号のレベルにかかわらず、ＯＲ回路１４４の論理積信号はＨレベルになるので、すべてのサンプリングスイッチ１５１がオンする。したがって、信号ＮＲＧがＨレベルになると、すべてのデータ線１１４には、画像信号線１７１の電圧信号Ｖbkをサンプリングする結果、正極性書込に対応して電圧Ｖbk(+)がプリチャージされることとなる。
【００２５】
次に、帰線期間が終了すると、転送開始パルスＤＸは、シフトレジスタ１４１によって順次シフトされて、図５に示されるように、水平有効表示期間にわたって、信号Ｓ１’、Ｓ２’、Ｓ３’、…、Ｓｎ’として出力される。さらに、これらの信号Ｓ１’、Ｓ２’、Ｓ３’、…、Ｓｎ’は、信号ＥＮＢとの論理積がＡＮＤ回路１４２によって求められて、相隣接するもの同士、パルス幅が互いに重複しないように期間Ｓｍｐに狭められたサンプリング信号Ｓ１、Ｓ２、Ｓ３、…、Ｓｎとして順番に出力される。
【００２６】
一方、水平走査に同期して供給される映像データＶｉｄは、第１に、Ｓ／Ｐ変換回路３０２によって６チャネルに分配されるとともに、時間軸に対して６倍に伸長され、第２に、Ｄ／Ａ変換器群３０４によってそれぞれアナログ信号に変換されるとともに、正極性書込に対応して、電圧Ｖcを基準に正転出力される。このため、正転出力される画像信号Ｖｄ１〜Ｖｄ６は、画素を黒色とするにつれて、電圧Ｖcよりも高位電圧となる。
また、水平有効走査期間では、信号ＮＲＧがＬレベルになるため、セレクタ３５０は、当該画像信号Ｖｄ１〜Ｖｄ６を選択するので、６本の画像信号線１７１に供給される信号Ｖｉｄ１〜Ｖｉｄ６は、処理回路３００による画像信号Ｖｄ１〜Ｖｄ６となる。
【００２７】
走査信号Ｇ１が水平有効走査期間においてＨレベルになる期間において、サンプリング信号Ｓ１がＨレベルになると、左から１番目のブロックに属する６本のデータ線１１４には、画像信号Ｖｄ１〜Ｖｄ６のうち対応するものがそれぞれサンプリングされる。そして、サンプリングされた画像信号Ｖｄ１〜Ｖｄ６は、図２において上から数えて１本目の走査線１１２と当該６本のデータ線１１４と交差する画素の画素電極１１８にそれぞれ印加されることになる。
この後、サンプリング信号Ｓ２がアクティブレベルになると、今度は、２番目のブロックに属する６本のデータ線１１４に、それぞれ画像信号Ｖｄ１〜Ｖｄ６がサンプリングされて、これらの画像信号Ｖｄ１〜Ｖｄ６が、１本目の走査線１１２と当該６本のデータ線１１４と交差する画素の画素電極１１８にそれぞれ印加されることになる。
【００２８】
以下同様にして、サンプリング信号Ｓ３、Ｓ４、……、Ｓｎが順次アクティブレベルになると、第３番目、第４番目、…、第ｎ番目のブロックに属する６本のデータ線１１４に画像信号Ｖｄ１〜Ｖｄ６のうち対応するものがサンプリングされ、これらの画像信号Ｖｄ１〜Ｖｄ６が、１本目の走査線１１２と、当該６本のデータ線１１４と交差する画素の画素電極１１８にそれぞれ印加されることになる。これにより、第１行目の画素のすべてに対する書き込みが完了することになる。
なお、走査信号Ｇ１がＬレベルになると、１行目の走査線１１２に接続されたＴＦＴ１１６はオフになるが、蓄積容量１１９や液晶層自身の容量性により、画素電極１１８にはオン時に書き込まれた電圧が保持されて、当該保持電圧に応じた輝度が維持されることになる。
【００２９】
続いて、走査信号Ｇ２が水平有効走査期間においてアクティブになるときについて説明する。本実施形態では、上述したように、走査線単位の極性反転が行われるので、この水平有効走査期間においては、負極性書込が行われることになる。したがって、走査信号Ｇ２がＨレベルになる直前の水平帰線期間にて信号ＮＲＧがＨレベルになると、セレクタ３５０によって電圧信号Ｖbkが選択されるので、６本の画像信号線１７１には、負極性書込の黒色に相当する電圧Ｖbk(-)が印加される。このため、水平帰線期間において、すべてのデータ線１１４は、電圧Ｖbk(-)にプリチャージされることとなる。
他の動作については走査信号Ｇ１がアクティブになる期間と同様であり、サンプリング信号Ｓ１、Ｓ２、Ｓ３、…、Ｓｎが順次アクティブレベルになって、第２行目の画素のすべてに対する書き込みが完了することになる。ただし、増幅・反転回路３０６は、Ｄ／Ａ変換器群３０４によるアナログ信号を、それぞれ負極性書込に対応して、電圧Ｖcを基準に反転出力するので、画像信号Ｖｄ１〜Ｖｄ６は、画素を黒色とするにつれて、電圧Ｖcよりも低位電圧となる。
【００３０】
以下同様にして、走査信号Ｇ３、Ｇ４、…、Ｇｍがアクティブになって、第３行目、第４行目、…、第ｍ行目の画素に対して書き込みが行われることになる。これにより、奇数行目の画素については正極性書込が行われる一方、偶数行目の画素については負極性書込が行われて、この１垂直走査期間においては、第１行目〜第ｍ行目の画素のすべてにわたって書き込みが完了することになる。
そして、次の１垂直走査期間（１Ｆ）においても、同様な書き込みが行われるが、この際、各行の画素に対する書込極性が入れ替えられる。すなわち、次の１垂直走査期間において、奇数行目の画素については負極性書込が行われる一方、偶数行目の画素については正極性書込が行われることになる。この書込極性の反転に合わせて電圧信号Ｖbkも極性反転する。このように、垂直走査期間毎に画素に対する書込極性が入れ替えられるので、液晶に直流成分が印加されることがなくなり、液晶の劣化が防止される。
【００３１】
一方、走査信号Ｇ１は、上述のように水平有効走査期間においてＨレベルになってから、走査信号Ｇ２、Ｇ３、Ｇ４が水平有効走査期間にて順番にＨレベルになった後、走査信号Ｇ５が水平有効走査期間にてＨレベルになる直前の水平帰線期間において、再びＨレベルとなる。すなわち、走査信号Ｇ１は、表示内容に応じた画像信号が１行目の走査線１１２に位置する画素電極１１８に書き込まれてから、一定期間経過後の水平帰線期間において、再びＨレベルになる。
水平帰線期間において、画像信号線１７１には電圧信号Ｖbkが印加される一方、すべてのサンプリングスイッチ１５１が信号ＮＲＧによって一斉にオンするので、１行目の走査線１１２に位置する画素の画素電極１１８のすべてには、当該電圧信号Ｖbkが書き込まれる結果、１行目の画素のすべては強制的に黒色化される。
以降同様に、水平有効走査期間において走査信号Ｇ６、Ｇ７、Ｇ８……がＨレベルになる直前の水平帰線期間において、それぞれ走査信号Ｇ２、Ｇ３、Ｇ４……がＨレベルになって、２行目、３行目、４行目の画素がそれぞれ強制的に黒色化される。
したがって、例えばｊ行目の画素が映像信号に応じた表示内容になるのは、水平有効走査期間において走査信号ＧｊがＨレベルになってから、一定期間経過した水平帰線期間において再びＨレベルになるまでの期間であるので、各行の画素が、すべてインパルス的な表示状態になる。このため、本実施形態では、特に動画像を表示する場合の残像感が抑えられる。
【００３２】
上述したように、水平有効走査期間においてデータ線１１４には表示状態に応じた画像信号がサンプリングされるが、データ線１１４に寄生する容量のために、水平有効走査期間経過後であってもデータ線１１４には当該画像信号の電圧成分が残留する。この残留電圧は、表示内容に応じて異なるので、水平帰線期間においてプリチャージを実行しない場合、次の水平有効走査期間の直前にあっては、データ線１１４毎に残留電圧が異なる状態が発生する。すなわち、画像信号をサンプリングする直前において、データ線１１４の電圧がデータ線１１４毎に異なる状態が発生する。このような状態では、同一行において画素を同一輝度にするために、すべてのデータ線に同一の電圧をサンプリングさせようとしても、サンプリング直前の電圧状態が異なるので（画像信号線１７１からデータ線１１４に画像信号をサンプリングしたときに、輝度に相当する電圧に至るまでの充放電時間が異なるので）、サンプリングされる電圧がデータ線１１４毎に異なる結果、表示ムラなどが発生して表示品位が低下する。
このため、表示状態に応じた画像信号をサンプリングする直前の水平帰線期間において、すべてのデータ線１１４を一定電圧にプリチャージする場合があるが、本実施形態では、このプリチャージが、インパルス的な表示のために表示消去と兼用されているので、構成の複雑化が回避される。
さらに、水平帰線期間は、水平有効走査期間と比べると遙かに短いので、表示状態に応じた画像信号の電圧を画素に書き込むための期間である水平有効走査期間が短縮化されることもない。
【００３３】
さらに、本実施形態では、書込極性を走査線毎に反転させるとともに、この反転に合わように、水平帰線期間における画素の強制的黒色化（表示消去）が実行される。例えば、図６に示されるように、ある水平有効走査期間において走査信号ＧｊがＨレベルになってｊ行目の画素に、表示内容に応じた電圧が正極性で書き込まれる場合、その直前におけるプリチャージが同一の正極性で実行されるだけではなく、水平帰線期間における強制的黒色化も同一の正極性で実行される。
図示は省略するが、次の走査信号Ｇ（ｊ＋１）がＨレベルになって（ｊ＋１）行目の画素に表示内容に応じた電圧が負極性で書き込まれる場合、その直前におけるプリチャージが同一の負極性で実行されるだけではなく、水平帰線期間における強制的黒色化も同一の負極性で実行される。
すなわち、表示内容に応じた書き込みの直前におけるプリチャージと、水平帰線期間における表示消去のための強制的黒色化とは、いずれも、表示内容に応じた書込極性と同一極性にて実行される。
ここで、ある１つの画素について着目して、書き込みに要する時間を検討すると、表示内容に応じた電圧を液晶容量に書き込む際には、直流印加防止のため垂直走査期間毎の極性反転により電圧変化が大きくなるので、ある程度の時間を確保する必要がある。これに対し、表示消去するために黒色電圧を液晶容量に書き込む際には、本実施形態では、当該黒色電圧が表示内容に応じた電圧と同一極性であるので、電圧変化が小さくなる結果、データ線を介して液晶容量に黒色電圧を書き込む負担が少なくて済むでのである。
【００３４】
＜第２実施形態＞
次に、本発明の第２実施形態に係る電気光学装置について説明する。上述した第１実施形態では、表示消去するための黒色相当電圧とプリチャージ電圧とを兼用したが、プリチャージ電圧としては、黒色以外の電圧とした方が良い場合がある。そこで、水平帰線期間において、表示消去のための画素の黒色化と、データ線のプリチャージとを別々に分けた第２実施形態について説明する。
【００３５】
図７は、第２実施形態に係る電気光学装置の構成を示すブロック図である。この図７に示される電気光学装置が、図１に示される電気光学装置と相違する部分は、おもに、プリチャージ電圧生成回路３２０およびセレクタ３６０を有する点であり、相違部分は少ない。そこで、第２実施形態については、この相違部分を中心に説明する。
図７において、プリチャージ電圧生成回路３２０は、データ線１１４へのプリチャージ電圧信号Ｖpreを生成するものである。ここで、プリチャージ電圧信号Ｖpreとして、例えば画素の白色（最高輝度）と黒色（最低輝度）との中間輝度の灰色にさせる電圧を用いる場合、プリチャージ電圧生成回路３２０は、図１１に示されるようにプリチャージ電圧信号Ｖpreを、正極性書込となる水平走査期間の水平帰線期間では、正極性の灰色電圧Ｖg(+)とし、負極性書込となる水平走査期間の水平帰線期間では、負極性の灰色電圧Ｖg(-)となるように生成する。
セレクタ３６０は、例えば信号ＮＲＧがＬレベルであるときにプリチャージ電圧信号Ｖpreを選択する一方、信号ＮＲＧがＨレベルであるときに電圧信号Ｖbkを選択して、セレクタ３５０における各チャネルの入力端の一方に供給する。ここで、信号ＮＲＳは、制御回路２００から供給され、図１０または図１１に示されるように、信号ＮＲＳがＨレベルとなるパルス期間を前縁寄りに狭めた信号である。
【００３６】
図８は、第２実施形態に係る電気光学装置の表示パネルの構成を示すブロック図である。この図８に示される表示パネル１００が、図２に示される表示パネルと相違する部分は、信号ＮＲＧのみならず、信号ＮＲＳも走査線駆動回路１３０に供給されている点にある。詳細には、走査線駆動回路１３０では、図９に示されるように、信号ＮＲＧが各段のＡＮＤ回路１３５の否定入力端にそれぞれ供給され、信号ＮＲＳが各段のＡＮＤ回路１３７の入力端にそれぞれ供給されている。
【００３７】
この第２実施形態では、図１１に示されるように水平帰線期間は、信号ＮＲＧおよび信号ＮＲＳがともにＨレベルとなる表示消去期間と、この表示消去期間に続く期間であって、信号ＮＲＧがＨレベルであり信号ＮＲＳがＬレベルとなるプリチャージ期間とに分けられる。
表示消去期間では、信号ＮＲＳがＨレベルになることによってセレクタ３６０では電圧信号Ｖbkが選択され、信号ＮＲＧがＨレベルになることによってセレクタ３５０ではセレクタ３６０側が選択されるので、６本の画像信号線１７１には、電圧信号Ｖbkが印加される。さらに、信号ＮＲＧがＨレベルとなることによって、すべてのサンプリング信号が強制的にＨレベルになるので、すべてのデータ線１１４には、電圧信号Ｖbkがサンプリングされる。一方、走査線駆動回路１３０では、信号ＮＲＳと遅延信号との論理積信号により、いずれかの走査信号がＨレベルとなる。このため、Ｈレベルとなった走査信号が印加された走査線１１２に対応する１行分の画素がすべて表示消去（黒色化）される。
【００３８】
次に、プリチャージ期間では、信号ＮＲＳがＬレベルになることによってセレクタ３６０ではプリチャージ電圧信号Ｖpreが選択される一方、信号ＮＲＧは依然としてＨレベルであるので、セレクタ３５０ではセレクタ３６０側の選択が維持される結果、６本の画像信号線１７１には、今度はプリチャージ電圧信号Ｖpreが印加される。さらに、信号ＮＲＧがＨレベルとなる状態が維持されるので、すべてのサンプリング信号が強制的にＨレベルになる結果、すべてのデータ線１１４には、プリチャージ電圧信号Ｖpreがサンプリングされる。
なお、プリチャージ期間では、信号ＮＲＧがＨレベルであって、信号ＮＲＳがＬレベルであるので、各段のＡＮＤ回路１３５、１３７はいずれも閉じる結果、走査信号は、すべてＬレベルとなる。このため、データ線１１４にサンプリングされたプリチャージ電圧信号Ｖpreが画素に書き込まれることはない。
このようにプリチャージ期間では、すべてのデータ線１１４が、電圧信号Ｖbkからプリチャージ電圧信号Ｖpreに電圧変化して、以降その寄生容量により電圧充電状態が表示内容に応じた画像信号のサンプリング時まで保持されることになる。すなわち、すべてのデータ線１１４は、プリチャージ電圧信号Ｖpreの電圧にプリチャージされた状態で、表示内容に応じた画像信号がサンプリングされることとなる。
このように第２実施形態では、データ線１１４のプリチャージ電圧を、表示消去するための黒色相当電圧以外の電圧とすることができる。
【００３９】
なお、第２実施形態では、プリチャージ電圧として灰色相当電圧としたこれ以外でも良い。また、正極性書込と負極性書込とにおいて異なる色（輝度）相当の電圧としても良い。
【００４０】
また、第１または第２実施形態では、走査線毎に極性反転させるとともに、遅延回路１３３の遅延時間を４水平走査期間として、走査信号Ｇｊを水平有効走査期間にＨレベルにしてｊ行目の走査線１１２を選択してから、（ｊ＋１）行目、（ｊ＋２）行目、（ｊ＋３）行目の走査線１１２を３本選択して、４本目である（ｊ＋４）行目の走査線１１２に供給する走査信号Ｇ（ｊ＋５）をＨレベルにする直前の水平帰線期間において、走査信号Ｇｊを再度Ｈレベルにする構成とした。本発明は、これに限られず、遅延回路１３３の遅延時間を偶数水平走査期間として、走査信号Ｇｊを水平有効走査期間にＨレベルにしてから、別の走査線１１２を偶数本選択したときの水平走査期間の水平帰線期間において再度Ｈレベルにしても良い。
さらに、１垂直走査期間では、すべての画素を同一極性で書き込む面（フレーム）反転とすれば、遅延回路１３３の遅延時間を偶数等に限定する必要もなくなる。
【００４１】
第１実施形態では、水平帰線期間の全期間において、信号ＮＲＧをＨレベルとして、表示消去のための画素の黒色化とプリチャージとを実行する構成としたが、水平帰線期間の一部期間だけ、信号ＮＲＧをＨレベルとして、当該一部期間において画素の黒色化とプリチャージとを実行しても良い。
同様に第２実施形態においても、水平帰線期間の一部期間だけ、信号ＮＲＳをＨレベルとして、当該一部期間において画素の黒色化とし、その直後に黒色以外の電圧でプリチャージしても良い。
【００４２】
上述した第１実施形態にあっては、電圧信号Ｖbkを、水平帰線期間に画像信号線１７１を介して供給するとともに、信号ＮＲＧにより全データ線１１４にサンプリングして、表示消去およびプリチャージする構成であったが、例えば、図１３に示されるように、各データ線１１４の一端に、信号ＮＲＧによってオンするスイッチ１６１をそれぞれ設けて、画像信号線１７１を介さずに、全データ線１１４に電圧信号Ｖbkをサンプリングする構成としても良い。なお、この構成では、図１２に示されるようにセレクタ３５０が不要となり、増幅・反転回路３０６による画像信号Ｖｄ１〜Ｖｄ６がそのまま画像信号線１７１に供給される一方、黒レベル電圧生成回路３１０による電圧信号Ｖbkが、オン時のスイッチ１６１を経由してデータ線１１４に印加されることになる。
また、データ線１１４の一端にスイッチ１６１が設けられる表示パネル１００（図１３参照）において、スイッチ１６１がオンする水平帰線期間を、第２実施形態のように、表示消去期間とプリチャージ期間とに分けるとともに、表示消去期間に走査線１１２に選択電圧を印加する構成としても良い。
【００４３】
上述した実施形態において、黒レベル電圧生成回路３１０は、画素を最低輝度の黒色とさせる電圧信号Ｖbkを生成したが、これに限られず、黒色に近い電圧を生成することによっても同様な表示消去の効果が得られる。
また、黒レベル電圧生成回路３１０は、アナログ電圧を生成したが、ディジタルで処理し、その後、アナログ変換する構成としても良い。
さらに、上述した実施形態にあっては、対向電極１０８と画素電極１１８との電圧実効値が小さい場合に白色表示を行うノーマリーホワイトモードとして説明したが、黒色表示を行うノーマリーブラックモードとしても良い。
【００４４】
また、実施形態では、垂直走査方向がＧ１→Ｇｍの方向であり、水平走査方向がＳ１→Ｓｎの方向であったが、回転可能な表示パネルや、後述するプロジェクタに適用する場合のように、走査方向を反転可能としても良い。なお、映像データＶｉｄは、垂直走査および水平走査に同期して供給されるので、処理回路３００について変更する必要はない。
【００４５】
上述した実施形態にあっては、６本のデータ線１１４が１ブロックにまとめられて、１ブロックに属する６本のデータ線１１４に対して、６系統に変換した画像信号Ｖｄ１〜Ｖｄ６をサンプリングする構成したが、変換数および同時に印加するデータ線数（すなわち、１ブロックを構成するデータ線数）は、「６」に限られるものではない。例えばサンプリングスイッチ１５１の応答速度が十分に高いのであれば、画像信号をパラレルに変換することなく１本の画像信号線にシリアル伝送して、データ線１１４毎に順次サンプリングするように構成しても良い。また、変換数および同時に印加するデータ線の数を「３」や、「１２」、「２４」、「４８」等として、３本や、１２本、２４本、４８本等のデータ線に対して、３系統変換や、１２系統変換、２４系統、４８系統変換等した画像信号を同時に供給する構成としても良い。なお、変換数としては、カラーの画像信号が３つの原色に係る信号からなることとの関係から、３の倍数であることが制御や回路などを簡易化する上で好ましいが、後述するプロジェクタのように単なる光変調の用途の場合には、３の倍数である必要はない。
【００４６】
くわえて、実施形態にあっては、素子基板には、ガラス基板を用いたが、ＳＯＩ（Silicon On Insulator）の技術を適用し、サファイヤや、石英、ガラスなどの絶縁性基板にシリコン単結晶膜を形成して、ここに各種素子を作り込んでも良い。また、素子基板として、シリコン基板などを用いるとともに、ここに各種の素子を形成しても良い。このような場合には、各種スイッチとして、電界効果型トランジスタを用いることができるので、高速動作が容易となる。ただし、素子基板が透明性を有しない場合、画素電極１１８をアルミニウムで形成したり、別途反射層を形成したりするなどして、反射型として用いる必要がある。
【００４７】
さらに、上述した実施形態では、液晶としてＴＮ型を用いたが、ＢＴＮ（Bi-stable Twisted Nematic）型・強誘電型などのメモリ性を有する双安定型や、高分子分散型、さらには、分子の長軸方向と短軸方向とで可視光の吸収に異方性を有する染料（ゲスト）を一定の分子配列の液晶（ホスト）に溶解して、染料分子を液晶分子と平行に配列させたＧＨ（ゲストホスト）型などの液晶を用いても良い。
また、電圧無印加時には液晶分子が両基板に対して垂直方向に配列する一方、電圧印加時には液晶分子が両基板に対して水平方向に配列する、という垂直配向（ホメオトロピック配向）の構成としても良いし、電圧無印加時には液晶分子が両基板に対して水平方向に配列する一方、電圧印加時には液晶分子が両基板に対して垂直方向に配列する、という平行（水平）配向（ホモジニアス配向）の構成としても良い。このように、本発明では、液晶や配向方式として、種々のものに適用することが可能である。
以上については、電気光学物質として液晶を用いた電気光学装置について説明したが、本発明では、書き込みの前にデータ線をプリチャージするとともに、ホールド型の素子であれば、例えばＥＬ（Electronic Luminescence）素子、電気詠動素子、デジタルミラー素子などを用いた装置であれば、適用可能である。
【００４８】
＜電子機器＞
次に、上述した実施形態に係る電気光学装置を用いた電子機器のいくつかについて説明する。
【００４９】
＜その１：プロジェクタ＞
まず、上述した電気光学装置の表示パネル１００をライトバルブとして用いたプロジェクタについて説明する。図１４は、このプロジェクタの構成を示す平面図である。この図に示されるように、プロジェクタ２１００内部には、ハロゲンランプ等の白色光源からなるランプユニット２１０２が設けられている。このランプユニット２１０２から射出された投射光は、内部に配置された３枚のミラー２１０６および２枚のダイクロイックミラー２１０８によってＲ（赤）、Ｇ（緑）、Ｂ（青）の３原色に分離されて、各原色に対応するライトバルブ１００Ｒ、１００Ｇおよび１００Ｂにそれぞれ導かれる。なお、Ｂ色の光は、他のＲ色やＧ色と比較すると、光路が長いので、その損失を防ぐために、入射レンズ２１２２、リレーレンズ２１２３および出射レンズ２１２４からなるリレーレンズ系２１２１を介して導かれる。
【００５０】
ここで、ライトバルブ１００Ｒ、１００Ｇおよび１００Ｂの構成は、上述した実施形態における表示パネル１００と同様であり、処理回路（図１４では省略）から供給されるＲ、Ｇ、Ｂの各色に対応する画像信号でそれぞれ駆動されるものである。すなわち、このプロジェクタ２１００では、表示パネル１００が、Ｒ、Ｇ、Ｂの各色に対応して３組設けられた構成になっている。
さて、ライトバルブ１００Ｒ、１００Ｇ、１００Ｂによってそれぞれ変調された光は、ダイクロイックプリズム２１１２に３方向から入射する。そして、このダイクロイックプリズム２１１２において、Ｒ色およびＢ色の光は９０度に屈折する一方、Ｇ色の光は直進する。したがって、各色の画像が合成された後、スクリーン２１２０には、投射レンズ２１１４によってカラー画像が投射されることとなる。
【００５１】
なお、ライトバルブ１００Ｒ、１００Ｇおよび１００Ｂには、ダイクロイックミラー２１０８によって、Ｒ、Ｇ、Ｂの各原色に対応する光が入射するので、上述したようにカラーフィルタを設ける必要はない。また、ライトバルブ１００Ｒ、１００Ｂの透過像は、ダイクロイックミラー２１１２により反射した後に投射されるのに対し、ライトバルブ１００Ｇの透過像はそのまま投射されるので、ライトバルブ１００Ｒ、１００Ｂによる水平走査方向は、ライトバルブ１００Ｇによる水平走査方向と逆向きにして、左右を反転させた像を表示する構成となっている。
【００５２】
＜その２：モバイル型コンピュータ＞
次に、上述した電気光学装置の表示パネル１００を、モバイル型のパーソナルコンピュータに適用した例について説明する。図１５は、このパーソナルコンピュータの構成を示す斜視図である。図において、コンピュータ２２００は、キーボード２２０２を備えた本体部２２０４と、表示部として用いられる表示パネル１００とを備えている。なお、この背面には、視認性を高めるためのバックライトユニット（図示省略）が設けられる。
【００５３】
＜その３：携帯電話＞
さらに、上述した電気光学装置の表示パネル１００を、携帯電話の表示部に適用した例について説明する。図１６は、この携帯電話の構成を示す斜視図である。図において、携帯電話２３００は、複数の操作ボタン２３０２のほか、受話口２３０４、送話口２３０６とともに、表示部として用いられる表示パネル１００を備えるものである。なお、この表示パネル１００の背面にも、視認性を高めるためのバックライトユニット（図示省略）が設けられる。
【００５４】
＜電子機器のまとめ＞
なお、電子機器としては、図１４、図１５および図１６を参照して説明した他にも、テレビジョンや、ビューファインダ型・モニタ直視型のビデオテープレコーダ、カーナビゲーション装置、ページャ、電子手帳、電卓、ワードプロセッサ、ワークステーション、テレビ電話、ＰＯＳ端末、ディジタルスチルカメラ、タッチパネルを備えた機器等などが挙げられる。そして、これらの各種の電子機器に対して、本発明に係る電気光学装置が適用可能なのは言うまでもない。
【図面の簡単な説明】
【００５５】
【図１】本発明の第１実施形態に係る電気光学装置の全体構成を示すブロック図である。
【図２】電気光学装置における表示パネルの構成を示すブロック図である。
【図３】電気光学装置における走査線駆動回路の構成を示すブロック図である。
【図４】電気光学装置の動作を説明するためのタイミングチャートである。
【図５】電気光学装置の動作を説明するためのタイミングチャートである。
【図６】電気光学装置の動作を説明するためのタイミングチャートである。
【図７】本発明の第２実施形態に係る電気光学装置の全体構成を示すブロック図である。
【図８】電気光学装置における表示パネルの構成を示すブロック図である。
【図９】電気光学装置における走査線駆動回路の構成を示すブロック図である。
【図１０】電気光学装置の動作を説明するためのタイミングチャートである。
【図１１】電気光学装置の動作を説明するためのタイミングチャートである。
【図１２】本発明の別の実施形態に係る電気光学装置の全体構成を示すブロック図である。
【図１３】電気光学装置における表示パネルの構成を示すブロック図である。
【図１４】実施形態等に係る電気光学装置を適用した電子機器の一例たるプロジェクタの構成を示す断面図である。
【図１５】実施形態等に係る電気光学装置を適用した電子機器の一例たるパーソナルコンピュータの構成を示す斜視図である。
【図１６】実施形態等に係る電気光学装置を適用した電子機器の一例たる携帯電話の構成を示す斜視図である。
【符号の説明】
【００５６】
１００…表示パネル、１０５…液晶層、１０８…対向電極、１１２…走査線、１１４…データ線、１１６…ＴＦＴ、１１８…画素電極、１３０…走査線駆動回路、１４０…データ線駆動回路、３００…処理回路、３１０…黒レベル電圧生成回路、３２０…プリチャージ電圧生成回路、３５０、３６０…セレクタ、２１００…プロジェクタ、２２００…パーソナルコンピュータ、２３００…携帯電話。
【図１】
2005242313.tif 000003
【図２】
2005242313.tif 000004
【図３】
2005242313.tif 000005
【図４】
2005242313.tif 000006
【図５】
2005242313.tif 000007
【図６】
2005242313.tif 000008
【図７】
2005242313.tif 000009
【図８】
2005242313.tif 000010
【図９】
2005242313.tif 000011
【図１０】
2005242313.tif 000012
【図１１】
2005242313.tif 000013
【図１２】
2005242313.tif 000014
【図１３】
2005242313.tif 000015
【図１４】
2005242313.tif 000016
【図１５】
2005242313.tif 000017
【図１６】
2005242313.tif 000018